(57)【要約】【課題】窓ガラスの外側面を室内側から省力的に効率よく安全確実に清掃することができる窓ガラスの清掃装置を提供する。【解決手段】窓外枠１の外側開閉窓障子３用の上下のレール４、４を利用して上下に突っ張った状態で固定する棒状部材１２の室内側に臨む面に、内側開閉窓障２の窓ガラス２ａの外面に対して圧接可能な拭き取りワイパー１４を取付ける。【選択図】図３
2007192000.tif 000002
【特許請求の範囲】
【請求項１】
窓外枠に設けられた外側開閉窓障子用の上下レール間に配置する上下に長い棒状部材の上下両端部に、窓外枠の上下レールに対して係合した状態で、前記棒状部材を窓外枠の上下レール間に上下の突っ張り状態で固定する係止機構を設け、前記棒状部材の室内側に臨む面に、室内側に向けて突出する状態で上下方向に長く、内側開閉窓障子の窓ガラスの外面に対して弾力的に摺接可能な拭き取りワイパーを取付けた窓ガラスの清掃装置。
【請求項２】
上記係止機構が、棒状部材の端部に上下動可能となるよう収納され、その外端部に外側開閉窓障子用のレールに対する係合溝が設けられた昇降部材と、前記棒状部材の室外側に臨む面に昇降部材と連動した状態で取付けられ、この昇降部材を上昇位置と下降位置で固定化するロックレバーとで形成されている請求項１に記載の窓ガラスの清掃装置。
【発明の詳細な説明】
【技術分野】
【０００１】  この発明は、建物における窓ガラスの清掃装置、特に室内側から手の届かない条件にある窓ガラスの外面を室内側から安全に効率よく清掃することができる清掃装置に関する。
【背景技術】
【０００２】  建物の窓ガラスにおいて、特に屋外に臨む外面は汚れが発生しやすいため、定期的な掃除が必要になる。【０００３】  ところで、図５に例示するように、ベランダ等の室外への張り出し部分がないような壁面に設けられ、窓外枠１内に内側開閉窓障子２と外側開閉窓障子３を備えたような引き違い式の窓Ａにおいては、特に、室内側に位置する内側開閉窓障子２の窓ガラス２ａの外面を手で掃除しようとしても、外側開閉窓障子３が邪魔になり、両端から腕の届く範囲でしか掃除することができず、内側開閉窓障子２の幅が広い場合、窓ガラス２ａの外面全体に対する掃除が困難である。【０００４】  また、窓から室外側に身体を乗り出して掃除を行うと、特に高所の窓では恐怖感もあって窓からの落下の危険を伴い簡単に掃除が行えないと共に、窓の外側に防犯サッシが固定されているような場合でも手が入らないので、簡単に掃除が行えないという問題があものである。【０００５】  更に、脚立や梯子の使用も考えられるが、この場合も落下の危険があり、容易に実施できないと共に、窓掃除を掃除専門業者へ依頼すると多額の経費がかかることになるので、これらの問題を解決するため、室内側から窓ガラスの外面を掃除するための専用の窓ガラスの清掃具が提案されている。【０００６】  従来の窓用清掃具は、略Ｕ字状に形成した柄部の一方先端に拭部材と洗浄液噴射ノズルを取付けて形成され、柄部の他端側グリップ部分を握ってこの柄部を室内側から開閉窓障子に外嵌し、グリップ部分を手前側に引き寄せるようにすることで拭部材を窓ガラスの外面に圧接させ、この状態で全体を横移動させながら上から下に移動させることにより、洗浄液を塗布した窓ガラスの外面を拭部材によって掃除するようになっている（例えば、特許文献１参照）。
【特許文献１】  特開２００３−２７５１４９
【発明の開示】
【発明が解決しようとする課題】
【０００７】  ところで、上記のような清掃具は、略Ｕ字状に形成した柄部のグリップ部分から拭部材に窓ガラスへの押付け力を加えるようになっているので、グリップ部分を手前側に引き寄せると柄部が撓み、拭部材を窓ガラスへ押付けるのが構造的に困難であり、押付け力が弱くなるのでどうしても窓ガラスの外面に対する掃除能力が少ないと共に、柄部の強度を上げるために剛性を上げると重量的に重くなって作業が困難で掃除に体力が必要とり、これとは別に、拭部材の横移動を上部から下方に移行しながら繰り返し行わなければならないので、時間もかかるという問題がある。【０００８】  そこで、この発明の課題は、窓外枠に上下のレールを利用して取付け、開閉窓障子を開閉方向に移動させるだけで、窓ガラスの外側面を室内側から省力的に効率よく安全確実に清掃することができる窓ガラスの清掃装置を提供することにある。
【課題を解決するための手段】
【０００９】  上記のような課題を解決するため、この発明は、窓外枠に設けられた外側開閉窓障子用の上下レール間に配置する上下に長い棒状部材の上下両端部に、窓外枠の上下レールに対して係合した状態で、前記棒状部材を窓外枠の上下レール間に上下の突っ張り状態で固定する係止機構を設け、前記棒状部材の室内側に臨む面に、室内側に向けて突出する状態で上下方向に長く、内側開閉窓障子の窓ガラスの外面に対して弾力的に摺接可能な拭き取りワイパーを取付けた構成を採用したものである。【００１０】  上記係止機構が、棒状部材の端部に上下動可能となるよう収納され、その外端部に外側開閉窓障子用のレールに対する係合溝が設けられた昇降部材と、前記棒状部材の室外側に臨む面に昇降部材と連動した状態で取付けられ、この昇降部材を上昇位置と下降位置で固定化するロックレバーとで形成されている構造とすることができる。【００１１】  ここで、拭き取りワイパーは、硬質ゴム等を用いて上下に長い帯板状に形成し、窓の開閉方向に少し角度を持たて取付け、拭き取りワイパーを窓ガラスの外面に対して圧接させることができるようになっている。
【発明の効果】
【００１２】  この発明によると、引き違い窓における窓外枠の外側開閉窓用の上下レール間に固定する棒状部材に拭き取りワイパーを取付けたので、棒状部材を窓外枠に固定した状態で内側開閉窓障子を移動させると、その窓ガラスの外面が密着した拭き取りワイパーで擦られ、これによって内側開閉窓障子の窓ガラスの外面の汚れが拭き取られることになり、室内側から大きく身を乗り出すことなく、内側開閉窓障子の窓ガラスの外側全面を室内側から省力的に効率よく安全確実に清掃することができる。【００１３】  また、棒状部材を窓外枠に固定化することにより、拭き取りワイパーを窓ガラスに圧接させることができ、これによって、窓ガラスの汚れ除去が確実に行えると共に、拭き取りワイパーが上下に長いので、内側開閉窓障子を移動させるだけで窓ガラスの広い面を一度に効率よく清掃することができる。【００１４】  更に、窓外枠の外側開閉窓用の上下レール間に固定して、内側開閉窓障子を移動させるだけで窓ガラスの外面を掃除できるので、窓の外側に防犯サッシが固定されているような手が入らないような条件でも、窓ガラスの外面を簡単に掃除することができる。
【発明を実施するための最良の形態】
【００１５】  以下、この発明の実施の形態を添付図面に基づいて説明する。【００１６】  図示のように、清掃装置１１は、引き違い窓Ａにおける窓外枠１の外側開閉窓障子３用の上下のレール４、４間に固定する棒状部材１２と、この棒状部材２の上下両端部に設けられ、窓外枠１の上下レール４、４に対して係合させた状態で、前記棒状部材１２を窓外枠１の上下レール４、４間に上下の突っ張り状態で固定する係止機構１３と、前記棒状部材１２の室内側に臨む面に取付けた拭き取りワイパー１４とで形成されている。【００１７】  上記棒状部材１２は、軽量化と強度確保のため、アルミの押し出し型材や硬質樹脂等を用い、扁平な角筒形等の断面形状に形成され、窓外枠１の外側開閉窓障子３用の上下レール４、４間に丁度収まる程度の上下長さになっている。【００１８】  上記棒状部材２の上下両端部に設けた係止機構１３は、共に等しい構造で上下に反転した配置となり、棒状部材１２の端部内に上下動可能となるよう収納され、その外端部に外側開閉窓用の上レール４又は下レール４に対する係合溝１５が設けられたブロック状の昇降部材１６と、前記棒状部材１２の室外側に臨む面に昇降部材１６と運動変換機構を介して連動した状態で取付けられ、この昇降部材１６を上昇位置と下降位置で固定化するロックレバー１７とで形成されている。【００１９】  上記ロックレバー１７は、棒状部材１２の室外側に上下の起伏操作が可能となるよう取付けられ、このロックレバー１７を棒状部材１２の長さ方向中央側に倒すと昇降部材１６が棒状部材１２の内側に引き込まれ、逆にロックレバー１７を棒状部材１２の端部側に倒すと昇降部材１６が棒状部材１２の端部から突出するように昇降部材１６と連動され、窓外枠１の上下レール４、４間に棒状部材１２を配置した状態で、ロックレバー１７を棒状部材１２の端部側に倒すと、昇降部材１６が棒状部材１２の端部から突出し、その係合溝１５が上レール４又は下レール４に対して係合し、清掃装置１１を上下レール４、４間に上下の突っ張り状態で固定することができる。【００２０】  図２（ａ）乃至（ｃ）は、係止機構１３において、ロックレバー１７と昇降部材１６を連動する運動変換機構の一例を示し、昇降部材１６にばね１９で棒状部材１２の内部に没入する弾性が付勢し、この昇降部材１６に形成した凹欠部２０に傾斜面２１を設け、この凹欠部２０に収まる傾斜カム２２とロックレバー１７の偏心カム部１７ａを連杆２３で結合し、ロックレバー１７の上下回動により偏心カム部１７ａで傾斜カム２２を横移動させ、図２（ｂ）のように、ロックレバー１７を棒状部材１２の端部側に倒すと傾斜カム２２と傾斜面２１の作用で昇降部材１６が押し出されて棒状部材１２の端部から突出し、また、図２（ｃ）のように、ロックレバー１７を棒状部材１２の長さ方向中央側に倒すと、傾斜カム２２は昇降部材１６の押し出しを解き、昇降部材１６が棒状部材１２の内側に引き込まれるようになっている。【００２１】  上記棒状部材１２に設けた拭き取りワイパー１４は、硬質のゴム等を用いて形成され、棒状部材１２に固定したホルダー１８を介して棒状部材１２の室内側に臨む面に取付けられ、棒状部材１２よりも僅かに短い上下長さを有し、棒���部材１２を窓外枠１の外側開閉窓障子３用の上下レール４、４間に固定した状態で、内側開閉窓障子２の窓ガラス２ａの外面に圧接するような突出長さを有している。【００２２】  なお、棒状部材１２の上下両端部には、上下レール４、４に対する係合切り欠き２４が設けてあり、上部係合切り欠き２４を上レール４に嵌めた状態で棒状部材１２を下げ、下部係合切り欠き２４を下レール４に嵌める落とし込みの取り付けが行えるようになっている。【００２３】  この発明の清掃装置１１は、上記のような構成であり、建物における引き違い窓Ａにおける内側開閉窓障子２の窓ガラス２ａの外面を掃除するには、図３のように、外側開閉窓障子３と内側開閉窓障子２を一方に寄せて重ねたた開窓状態で、窓外枠１に設けられた外側開閉窓障子３用の上下レール４、４間に棒状部材１２を垂直に配置し、上下係合切り欠き２４を上下レール４、４に嵌めこんだ状態で、上下係止機構１３、３のロックレバー１７を棒状部材１２の端部側に倒すと、棒状部材１２の上下両端部から昇降部材１６が突出し、昇降部材１６の係合溝１５が上レール４又は下レール４に対して係合し、清掃装置１１が上下のレール４、４間に上下の突っ張り状態で固定される。【００２４】  上記窓外枠１に対する清掃装置１１の固定は、図３のように、窓外枠１の一方に寄せた外側開閉窓障子３の開窓側端部に近い位置に設定する。【００２５】  この状態で、内側開閉窓障子２を室内側から閉窓方向に移動させると、定位置に固定配置となる拭き取りワイパー１４に対して、内側開閉窓障子２の窓ガラス２ａの外面が圧接し、内側開閉窓障子２を移動させることによって、その窓ガラス２ａの外面が密着した拭き取りワイパー１４で擦られ、内側開閉窓障子２を閉位置にまで移動させることで、拭き取りワイパー１４の上下長さの範囲で内側開閉窓障子２の窓ガラス２ａの外面は幅方向の全長の汚れが拭き取られることになる。【００２６】  上記のようにして、内側開閉窓障子２の窓ガラス２ａの清掃が終わると、内側開閉窓障子２を開窓位置に移動させ、棒状部材１２の上下係止機構１３のロックレバー１７を棒状部材１２の中央側に倒し、上下両端部から昇降部材１６を没入させ、上下のレール４、４間での上下の突っ張り状態の固定を解き、この状態で清掃装置１１を上下のレール４ｂ，４間から取外せばよい。【００２７】  なお、内側開閉窓障子２を開窓位置に移動させるときも、再度窓ガラス２ａの外面が密着した拭き取りワイパー１４で擦られ、窓ガラス２ａの外面は汚れが拭き取られることになる。
【図面の簡単な説明】
【００２８】
【図１】（ａ）は清掃装置の室内側に臨ませる面を示す一部切り欠き斜視図、（ｂ）は同室外側に臨ませる面を示す斜視図
【図２】（ａ）は係止機構の外観を示す下から見た斜視図、（ｂ）は昇降部材を棒状部材から突出させた状態を示す縦断面図、（ｃ）は昇降部材を棒状部材の内側に引き込んだ状態を示す縦断面図
【図３】清掃装置を窓外枠に取付けた状態を示す横断平面図
【図４】清掃装置を窓外枠に取付けた状態を示す縦断側面図
【図５】引き違い式の窓の横断平面図
【符号の説明】
【００２９】１      窓外枠
２      内側開閉窓障子
２ａ    窓ガラス
３      外側開閉窓障子
４      レール
１１    清掃装置
１２    棒状部材
１３    係止機構
１４    拭き取りワイパー
１５    係合溝
１６    昇降部材
１７    ロックレバー
１８    ホルダー
１９    ばね
２０    凹欠部
２１    傾斜面
２２    傾斜カム
２３    連杆
２４    係合切り欠き
【図１】
2007192000.tif 000003
【図２】
2007192000.tif 000004
【図３】
2007192000.tif 000005
【図４】
2007192000.tif 000006
【図５】
2007192000.tif 000007